(57)【特許請求の範囲】
【請求項１】
平面形状で眼鏡状に形成された一対のピン嵌合部が形成されると共に、該ピン嵌合部には相対向して内部に突出する弾性部が形成され、かつ、前記ピン嵌合部の側面にロック片が形成された端子金具と、  細長い立方体に形成され、長手方向と直交する方向に平面形状で前記端子金具の前記ピン嵌合部が嵌合される貫通孔が所定間隔を介して多数形成され、かつ、側面に前記端子金具の前記ロック片が係合されるロック孔が形成された樹脂ブロックと、  から構成し、プリント基板の異なる導電パターンにマトリックス状に接続された３列、複数行形成された接続ピンの内の２列、複数行の接続ピンに対して、前記端子金具の前記接続ピンを嵌合部に嵌合することで、前記接続ピンは前記端子金具の弾性部で弾性的に挟持固定され、前記各行の２列のピン間が電気的に接続されるようにしたことを特徴とするプリント基板用ソケット。
【請求項２】
前記接続ピンは樹脂台にモールドされ、該樹脂台の両端から突出し、一方が前記プリント基板の導電パターンと接続され、他端が前記ソケットに嵌合されるように構成されていることを特徴とする請求項１記載のプリント基板用ソケット。
【請求項３】
前記ソケットは行方向において切断可能に形成されていることを特徴とする請求項１記載のプリント基板用ソケット。
【発明の詳細な説明】
【０００１】
【発明の属する技術分野】
本発明はプリント基板の異なる導電パターンに接続された３列、複数行の接続ピンにおける、前記３列のピンにおける２列のピン間を選択的に電気的に接続するようにしたプリント基板用ソケットに関する。
【０００２】
【従来の技術】
従来、電話回線用の基板は多数の回線が一枚のプリント基板に形成され、通常の使用時における回路の接続状態と故障等におけるチェック状態とではスイッチの切換えによって行っていた。すなわち、３列、複数行の導電パターンが形成されており、通常の接続状態においては前記３列、複数行の導電パターンのうち２列、複数行を接続状態となし、チェック時には他の２列、複数行の導電パターンを接続状態とすることによって故障を検出していた。
【０００３】
ところで、前記したような通常の接続状態と故障等のチェック状態との導電パターンの切換えを行う、しかも、行方向に多数の導電パターンが形成されている場合、導電パターンの列方向の切換えを簡易に行う手段としては列方向に機械的あるいは電気的なスイッチを列方向に接続することとなる。
【０００４】
【発明が解決しようとする課題】
このように、機械的、電気的なスイッチを導電パターン間に接続した場合、このスイッチのために実質的に使用するための面積が前記スイッチを装備するために狭くなってしまい、かつ、コストも高くなってしまうといった問題があった。
【０００５】
本発明は前記した問題点を解決せんとするもので、その目的とするところは、各導電パターン毎に３列、複数行の接続ピンをマトリックス状に取付け、この接続ピンの２列複数列のピンに対して着脱自在で、かつ、２列のピン間を電気的に接続するようにしたので、故障等の切換え時にのみ他の２列複数列側に装着することで回路のチェックが行えるプリント基板用ソケットを提供せんとするものである。
【０００６】
【課題を解決するための手段】
本発明のプリント基板用ソケットは前記した目的を達成せんとするもので、その手段は、平面形状で眼鏡状に形成された一対のピン嵌合部が形成されると共に、該ピン嵌合部には相対向して内部に突出する弾性部が形成され、かつ、前記ピン嵌合部の側面にロック片が形成された端子金具と、細長い立方体に形成され、長手方向と直交する方向に平面形状で前記端子金具の前記ピン嵌合部が嵌合される貫通孔が所定間隔を介して多数形成され、かつ、側面に前記端子金具の前記ロック片が係合されるロック孔が形成された樹脂ブロックとから構成し、プリント基板の異なる導電パターンにマトリックス状に接続された３列、複数行形成された接続ピンの内の２列、複数行の接続ピンに対して、前記端子金具の前記接続ピンを嵌合部に嵌合することで、前記接続ピンは前記端子金具の弾性部で弾性的に挟持固定され、前記各行の２列のピン間が電気的に接続されるようにしたことを特徴とする。
【０００７】
また、前記接続ピンは樹脂台にモールドされ、該樹脂台の両端から突出し、一方が前記プリント基板の導電パターンと接続され、他端が前記ソケットに嵌合されるように構成したものであってもよく、さらに、前記ソケットは行方向において切断可能に形成されていることが望ましい。
【０００８】
【発明の実施の形態】
以下、本発明に係るプリント基板用ソケットの実施の形態を図面と共に説明する。
Ａは本発明に係るプリント基板用ソケット（以下、単にソケットという）にして、図２〜図８に示すように樹脂ブロック１と、真鍮等の導電性金属の端子金具２とから構成されている。
【０００９】
次に、樹脂ブロック１の構成について説明するに、該樹脂ブロック１は細長い直方体に形成され、該樹脂ブロック１の長手方向と直交する方向に平面形状において眼鏡状の貫通孔１１が所定間隔を介して多数形成されている。また、樹脂ブロック１の両側面には前記貫通孔１１に連通するロック孔が形成され、かつ、該ロック孔１２の近傍には差し込み方向を示す矢印の凹部１３が形成されている。
【００１０】
次に、端子金具２の構成について説明するに、該端子金具２は前記樹脂ブロック１の貫通孔１１に嵌合される平面形状で眼鏡状に形成され、一対のピン嵌合部２１が形成されると共に、該ピン嵌合部２１には後述するピン４２を挟持するための相対向して内部に突出する弾性部２２が形成され、また、前記ピン嵌合部２１の側面には前記樹脂ブロック１のロック孔１３に係合されるロック片２３が突出して形成されている。
【００１１】
このように構成した樹脂ブロック１に対して端子金具２を取付けるには、樹脂ブロック１の眼鏡状の貫通孔１１に対して眼鏡状に形成された端子金具２を嵌入する。この嵌入において、端子金具２のロック片２３がロック孔３２に係合されて端子金具２は樹脂ブロック１内に固定される。
【００１２】
Ｂは電話回線用のプリント基板にして、多数の導電パターン３がマトリックス状に形成され、通常の使用時における２列の通常回路用導電パターン３１と故障等におけるチェック時における２列の検査回路用導電パターン３２とが形成されている。なお、導電パターン３１，３２とは中間の導電パターンが共通に使用するアース導電パターンとなっている。
【００１３】
Ｃは樹脂板４１と、該樹脂板４１にモールドされたマトリックス状に配列された多数のピン４２とからなる接続具にして、該ピン４２は樹脂板４１の両面から突出し、該突出してピン４２の一端は前記プリント基板Ｂの導電パターン３のスルーホールに挿入され、裏面において半田付けされている。なお、接続具Ｃとしては必ずしも樹脂板４１は必要がなく、ピン４２のみを直接プリント基板Ｂに半田付けしたものであってもよい。
【００１４】
次に、前記した構成に基づいて動作を説明するに、先ず、ピン４２をプリント基板Ｂにおける全ての導電パターン３に半田付けする。すなわち、通常使用する通常回路用導電パターン３１と検査回路時に使用する検査回路用導電パターン３２とにピン４２を取付ける。次いで、前記ピン４２の行方向のピン数と端子金具２の数を合わせて樹脂ブロック１を長手方向に沿って切断する。
【００１５】
そして、プリント基板Ｂの動作を通常の動作として行わせる場合には、通常回路用導電パターン３１に接続されている２列のピン４２に対して、プリント基板用ソケットＡの端子金具２のピン嵌合部２１をピン３１に嵌合することにより、通常回路用導電パターン３１間が接続されプリント基板Ｂは通常の動作を行う。
【００１６】
ここで、プリント基板Ｂに故障等によって異常が生じた場合には、プリント基板用ソケットＡをピン４２から外して通常回路用導電パターン３１間を開放し、次いで、プリント基板用ソケットＡの端子金具２のピン嵌合部２１を検査回路用導電パターン３２に嵌合することにより、検査回路用導電パターン３２間が接続されるので故障等の検査回路を行うことができる。
【００１７】
【発明の効果】
本発明は前記したように、プリント基板の異なる導電パターンにマトリックス状に接続された３列、複数行の接続ピンと、前記接続ピンの２列、複数行のピンに対して着脱自在に嵌合され、各行の２列のピン間を電気的に接続するソケットとから構成したことにより、前記ソケットを通常回路用の導電パターンと検査回路用の導電パターンとの切換えが行え、従って、従来のようなスイッチを全く必要とせず、プリント基板の小型化が図れると共にコストの低減を図ることができる。
【００１８】
また、前記ソケットは行方向において切断可能に形成されているので、どの様なプリント基板、すなわち、ピン数が多い場合でも少ない場合であっても対応することができ、１つのソケットで多数のプリント基板に対応することができる等の効果を有するものである。
【図面の簡単な説明】
【図１】本発明に係るプリント基板用ソケットの使用状態を示す斜視図である。
【図２】プリント基板用ソケットの平面図である。
【図３】同上の底面図である。
【図４】図２の側面図である。
【図５】端子金具の正面図である。
【図６】同上の平面図である。
【図７】図５の側面図である。
【図８】端子金具を樹脂ブロックに嵌合した状態の断面図である。
【符号の説明】
Ａ          プリント基板用ソケット
Ｂ          プリント基板
Ｃ          接続具
１          樹脂ブロック
１１        貫通孔１１
１２        ロック孔
２          端子金具
２１        ピン嵌合部
２２        弾性部
２３        ロック片
３          導電パターン
３１        通常回路用導電パターン
３２        検査回路用導電パターン
４１        樹脂板
４２        ピン
【図１】
0003571600.tif 000002
【図２】
0003571600.tif 000003
【図３】
0003571600.tif 000004
【図４】
0003571600.tif 000005
【図５】
0003571600.tif 000006
【図６】
0003571600.tif 000007
【図７】
0003571600.tif 000008
【図８】
0003571600.tif 000009